(57)【要約】【課題】  表示パネルを位置ずれなくメータケースに固定することにより品質の向上を図ることができる計器用表示パネル取付構造を提供すること。【解決手段】  ＬＣＤ収納部２７を有するメータケース１４とメータ基板１５との間にＬＣＤ１７を組み付ける計器用表示パネル取付構造であって、メータケース１４のＬＣＤ収納部２７と、ＬＣＤ１７のバックライトモジュール１８を形成するホルダ４１と、にホルダ４１をメータケース１４に位置決めるための位置決め手段３１，３２，４２，４３を配置した。【選択図】        図１
2006126071.tif 000002
【特許請求の範囲】
【請求項１】
表示パネル収納部を有するメータケースとメータ基板との間に表示パネルを組み付ける計器用表示パネル取付構造であって、
前記表示パネル収納部と前記表示パネルを保持するホルダに、当該ホルダを該表示パネル収納部に位置決めするための位置決め手段が配置されていることを特徴とする計器用表示パネル取付構造。
【請求項２】
前記位置決め手段が、前記表示パネル収納部内に突出配置されて前記表示パネルの前面に当接され、前記ホルダを前記メータケースの表面に対して位置決めする突起を有することを特徴とする請求項１に記載した計器用表示パネル取付構造。
【請求項３】
前記位置決め手段が、前記表示パネル収納部に形成された少なくとも一対のボス孔と、前記ホルダに形成され、該ボス孔に挿入されるボスと、を有することを特徴とする請求項１または２に記載した計器用表示パネル取付構造。
【発明の詳細な説明】
【技術分野】
【０００１】
本発明は、例えば車両の計器に表示素子（液晶モニタや液晶ディスプレイ等のＬＣＤ（Liquid Crystal Display）、ＥＬディスプレイ）を取り付ける計器用表示パネル取付構造に関する。
【背景技術】
【０００２】
従来の計器用表示パネル取付構造の一例として、図５に示すように、サブ基板上に４本の脚部２ａを介して取り付けられる枠状のケース２と、ケース２に載置されるＬＣＤ（表示パネル）３と、ＬＣＤ３の周縁を覆うと共にケース２に係合する枠状のベゼル４とを有する液晶表示装置１が知られている（例えば、特許文献１参照）。
【０００３】
組立に際しては、ケース２の上面にＬＣＤ３を載置して位置決めした後、ＬＣＤ３の周縁を覆いかぶせるようにベゼル４を載せ、次いで、ベゼル４の四隅に設けた係止孔５を各係止孔５に対応してケース２に設けられた係止爪６に係止することでケース２とベゼル４との間にＬＣＤ３を挟み込んで固定する。
【特許文献１】特開２００３−４４９３号公報
【発明の開示】
【発明が解決しようとする課題】
【０００４】
ところで、上記特許文献１のような計器用表示パネル取付構造においては、ＬＣＤを組み付ける場合に、バックライトモジュールを組み立ててから、その上面にＬＣＤを配置してベゼルで固定する。そして、バックライトモジュールのホルダに設けられている突条を基板の固定孔に挿着し、基板の上面に、メータケースと、文字板と、を組み付ける。そのために、バックライトモジュールを構成するホルダがメータケースに支持されていないので、メータケースの表面に対してホルダの表面が位置ずれしたり、メータケースに対してホルダが上下・左右に位置ずれしたりして、完成したメータにおいてＬＣＤの位置ずれによる品質の低下が起きる虞がある。
また、ＬＣＤの位置ずれによりメータケースに対して段差が生じ、外観上問題があった。
【０００５】
本発明は、上述した事情に鑑みてなされたものであり、その目的は、表示パネルを位置ずれなくメータケースに固定することにより品質及び外観上の向上を図ることができる計器用表示パネル取付構造を提供することにある。
【課題を解決するための手段】
【０００６】
１）本発明に係る計器用表示パネル取付構造は、表示パネル収納部を有するメータケースとメータ基板との間に表示パネルを組み付ける計器用表示パネル取付構造であって、前記表示パネル収納部と前記表示パネルを保持するホルダに、当該ホルダを前記表示パネル収納部に位置決めるための位置決め手段が配置されていることを特徴とする。
【０００７】
上記１）に記載の発明によれば、表示パネルをメータケースとメータ基板との間に組み付けるのに際して、位置決め手段により、メータケースに対してホルダを位置合せすることができる。従って、完成したメータにおいて表示パネルが位置ずれすることなくメータケースに固定されることにより品質の向上を図ることができる。また、従来の構造のようなベゼルを廃止できるので、部品点数の減少を図ることができる。
【０００８】
２）本発明に係る計器用表示パネル取付構造は、上記１）に記載した計器用表示パネル取付構造において、前記位置決め手段が、前記表示パネル収納部内に突出配置されて前記ホルダの前面に当接され、当該ホルダを前記メータケースの表面に対して位置決めする突起を有することを特徴とする。
【０００９】
上記２）に記載の発明によれば、メータケースの表示パネル収納部において、突起にホルダを当接させることにより、メータケースの表面に対してホルダを位置決めすることができるので、メータケースの表面にホルダが面一に配置されるために、大量に生産された際における品質の安定化を図ることができる。
【００１０】
３）本発明に係る計器用表示パネル取付構造は、上記１）または２）に記載した計器用表示パネル取付構造において、前記位置決め手段が、前記表示パネル収納部に形成された少なくとも一対のボス孔と、前記ホルダに形成され、前記ボス孔に挿入されるボスと、を有することを特徴とする。
【００１１】
上記３）に記載の発明によれば、ホルダのボスをメータケースの表示パネル収納部におけるボス孔に挿着することにより、表示パネルを保持したホルダがメータケースに位置決めされるので、表示パネルを簡単な作業で位置決めすることができる。
【発明の効果】
【００１２】
本発明の計器用表示パネル取付構造によれば、メータケースの表面に対して表示パネルの表面が上下・左右に位置ずれするという問題を解消でき、表示パネルを位置ずれなくメータケースに固定することにより品質及び外観上の向上を図ることができるという効果が得られる。
【発明を実施するための最良の形態】
【００１３】
以下、本発明に係る好適な実施の形態例を図面に基づいて詳細に説明する。
図１は本発明に係る計器用表示パネル取付構造の一実施形態が用いられるメータアッシの分解斜視図、図２は図１のメータアッシに用いられるメータケースの一部破断背面図、図３は図１のメータアッシのバックライトモジュールに用いられるホルダの正面図、図４は図１のメータケースへのバックライトモジュールの取付状態の側面図である。
【００１４】
図１に示すように、本発明の一実施形態である計器用表示パネル取付構造が用いられるメータアッシ１０は、クリアカバー１１と、クラスターリッド１２と、文字板１３と、メータケース１４と、メータ基板１５と、後面カバー１６と、表示パネルであるＬＣＤ１７と、バックライトモジュール１８と、から構成されている。
【００１５】
クリアカバー１１は、透明な樹脂製であり、クラスターリッド１２の前面を覆ってクラスターリッド１２に組み付けられる。また、クラスターリッド１２は、文字板１３の表示部分の回りを覆ってメータケース１４に組み付けられる。
【００１６】
文字板１３は、例えば、ポリカーボネイト製であり、ＬＣＤ窓部１９を中央に配置して、両側部にスピードメータ２０とタコメータ２１とを配置し、方向指示意匠部を含む各種警告表示意匠部２２を上部に配置した横長形状をしている。また、文字板１３には、各メータに対応する指針２３，２４の指針袴が貫通される複数の指針孔２５，２６が形成されている。
【００１７】
メータケース１４は、例えば、プラスチック製であり、文字板１３の形状に対応した横長の皿形状に形成されている。このメータケース１４は、裏面カバー１６に一体化されて、メータ基板１５を両面から挟み込むようにして収容する。このメータケース１４には、文字板１３のＬＣＤ窓部１９に対応した中央に、四角形の孔形状に形成されたＬＣＤ収納部２７が配置されており、上部に各種警告表示意匠部２２に対応した複数の光路孔３０が配置されている。
【００１８】
そして、メータケース１４には、ＬＣＤ収納部２７における左右の内側面に、位置決め手段の一部を構成する丸孔形状をなす一対のボス孔３１，３２が対向配置されている。両ボス孔３１，３２のうちのスピードメータ２０側に配置される一方のボス孔３１は、ＬＣＤ収納部２７の上端寄りに配置され、他方のボス孔３２は、ＬＣＤ収納部２７の下端寄りに配置されている。また、ＬＣＤ収納部２７の左右の内側面には、それらの中央部に、位置決め手段の他の一部を構成する一対の突起３３，３４が対向配置されている。
【００１９】
メータ基板１５は、文字板１３と略同形の横長形状をしている。このメータ基板１５上には、ＩＣチップ等の電子部品（不図示）が取り付けられているとともに、メータケース１４の光路孔３０に対応させた複数のＬＥＤ３５が取り付けられている。そして、メータ基板１５には、その中央部に、４個のホルダ支持孔３６が形成されている。
【００２０】
後面カバー１６は、メータケース１４と同様の、例えば、プラスチック製の横長の皿形状に形成されている。この後面カバー１６は、メータケース１４に一体化されて、メータ基板１５を両面から挟み込むようにして組み付けられる。
【００２１】
ＬＣＤ１７は、液晶モニタや液晶ディスプレイ等のＬＣＤ（Liquid Crystal Display）であり、メータ基板１５に電気的に接続されてマルチインフォメーションディスプレイとした場合に、エアコン情報、車両情報、オーディオ情報、ＴＶ情報、ナビゲーション情報、ハンドフリー電話情報、等の各種情報を表示する。ＬＣＤ１７は、バックライトモジュール１８に一体的に組み付けられてメータケース１４に固定される。
【００２２】
バックライトモジュール１８は、ＢＥＦ（Band Elimination Filter）３７と、拡散板３８と、プリズム３９と、ＬＥＤ基板４０と、が重ね合わされて一体的に結合されたうえで、ＢＥＦ３７上にＬＣＤ１７が組み付けられ、それらの組体がホルダ４１内に収納されて組み立てられる。そして、ホルダ４１には、左右の側面に、位置決め手段の残りの一部を構成する丸棒形状をなす一対のボス４２，４３が突出形成されている。また、ホルダ４１の背面には、４個の支持軸４４が突出形成されている。ホルダ４１は、その横方向の長さと、その縦方向の長さと、からなる外寸が、メータケース１４のＬＣＤ収納部２７の内寸よりも僅かに短くなっている。
【００２３】
図２に示すように、ＬＣＤ収納部２７の左右の内側面に形成された一対のボス孔３１，３２のうちの下端寄りに配置されているボス孔３２は、上端寄りに配置されたボス孔３１に向けて長さを持つ長孔形状に形成されている。そして、一対の突起３３，３４は、内側面に対向して突出している。
【００２４】
図３に示すように、ＬＣＤ１７とともにバックライトモジュール１８を収納したホルダ４１は、側板４５，４６，４７，４８から形成される矩形状の枠体の四隅にＬＣＤ１７を仮保持するための係止爪５２が突設されている。そして、ボス４２，４３は、両側板４７，４８から左右方向に突出した台座５０，５１の先端部寄りに配置されている。
【００２５】
次に、図４を参照して、ホルダ４１をメータケース１４のＬＣＤ収納部２７に組み付ける手順について詳細に説明する。
【００２６】
先ず、ホルダ４１の各支持軸４４に各ホルダ支持孔３６に合せて挿入してホルダ４１の後面をメータ基板１５に当接させる。次に、メータケース１４の両ボス孔３１，３２をホルダ４１の両ボス４２，４３に合せながらホルダ４１をＬＣＤ収納部２７に進行させていく。
【００２７】
そして、両ボス孔３１，３２に両ボス４３，４４を挿通させていくと表示パネルの前面が収納部２７の両突起３３，３４に当接する。前面が両突起３３，３４に当接することにより、メータケース１４の表面に対して表示パネルの位置合わせをし、更にメータ基板１５をメータケース１４に組み付ける。これにより、メータケース１４のＬＣＤ収納部２７に、ＬＣＤ１７と共にバックライトモジュール１８を収納したホルダ４１が位置決められて組み付けられる。
【００２８】
このようなメータアッシ１０は、文字板１３と、指針２３，２４と、クラスターリッド１２と、クリアカバー１１とがメータケース１４の前面に順次組み付けられる。そして、ＬＣＤ１７とともにバックライトモジュール１８を収納したホルダ４１が、上述したようにしてメータケース１４のＬＣＤ収納部２７とメータ基板１５とに挟まれて組み付けられた後、後カバー１６がメータケース１４の後面に組み付けられる。
【００２９】
そして、メータ基板１５に配置されている電源端子に電源が、ＬＥＤ３５に各種警告灯回路が、ムーブメント２８，２９にムーブメント回路が、ＬＣＤ１７にＬＣＤ表示回路が、それぞれ電気的に接続され、メータケース１４がインストパネルにねじ止めされる。その後、エンジンが始動されることにより、ムーブメント回路を介してタコメータ２１の指針２４が作動を開始し、各種警告灯回路を介してＬＥＤ３５が点灯され、ＬＣＤ表示回路を介してＬＣＤ１７が各種情報を表示する。
【００３０】
上述した計器用表示パネル取付構造の一実施形態によれば、ＬＣＤ１７をメータケース１４とメータ基板１５との間に組み付けるに際し、メータケース１４のＬＣＤ収納部２７に形成されたボス孔３１，３２と、ホルダ４１に形成されたボス４３，４４とが挿着されることにより、メータケース１４に対してＬＣＤ１７を保持しているホルダ４１を位置合せすることができる。これにより、完成したメータアッシ１０においてＬＣＤ１７が位置ずれなくメータケース１４に固定されることにより品質の向上を図ることができる。
【００３１】
また、従来の構造のようなベゼルを廃止できるので、部品点数の減少を図ることができるとともに、ベゼルにより生じていた段差を無くすことができるので外観上の向上を図ることができる。
【００３２】
また、メータケース１４のＬＣＤ収納部２７内に突出配置されてホルダ４１の前面に当接され、表示パネルをメータケース１４の表面に対して位置決めする突起３３，３４を有するために、メータケース１４のＬＣＤ収納部２７において、突起３３，３４にホルダ４１を当接させることにより、メータケース１４の表面に対してホルダ４１を位置決めすることができるので、メータケース１４の表面に表示パネルが面一に配置されるために、大量に生産された際における品質の安定化を図ることができる。
【００３３】
また、ホルダ４１のボス４２，４３をメータケース１４のＬＣＤ収納部２７におけるボス孔３１，３２に挿着することにより、バックライトモジュール１８を形成するホルダ４１がメータケース１４に位置決められるので、ＬＣＤ１７を簡単な作業で位置決めすることができる。
【００３４】
なお、本発明は、前述した実施形態に限定されるものではなく、適宜、変形、改良等が可能である。例えば、表示パネル収納部に形成される突起は、図示した一対に限定されず、複数対であっても良い。
【００３５】
また、メータアッシに装備される計器は、図示したものに限定されず、例えば、油圧メータや水温メータを配置しても良い。
【図面の簡単な説明】
【００３６】
【図１】本発明に係る計器用表示パネル取付構造の一実施形態が用いられるメータアッシの分解斜視図である。
【図２】図１に示したメータアッシに用いられるメータケースの一部破断背面図である。
【図３】図１に示したメータアッシのバックライトモジュールに用いられるホルダの正面図である。
【図４】図１に示したメータケースへのバックライトモジュールの取付状態の側面図である。
【図５】従来の計器用表示パネル取付構造を示す斜視図である。
【符号の説明】
【００３７】
１０        メータアッシ（メータ）
１４        メータケース
１５        メータ基板
１７        ＬＣＤ（表示パネル）
２７        ＬＣＤ収納部（表示パネル収納部）
３１，３２  ボス孔（位置決め手段）
３３，３４  突起（位置決め手段）
４１        ホルダ
４２，４３  ボス（位置決め手段）
【図１】
2006126071.tif 000003
【図２】
2006126071.tif 000004
【図３】
2006126071.tif 000005
【図４】
2006126071.tif 000006
【図５】
2006126071.tif 000007